(57)【特許請求の範囲】
【請求項１】
表示パネルと、
前記表示パネルの背面から前記表示パネルへバックライト光を導くバックライトパネルと、
前記バックライトパネル内に前記バックライト光を照射するバックライト光源と、
前記表示パネルの前面側から、当該表示パネルを支持するフレームと、
前記バックライトパネルの背面側から、当該バックライトパネルを支持するバックライトシャーシと、
前記バックライト光源の基板および前記バックライトシャーシに接触しており、前記バックライト光源の熱を前記バックライトシャーシへ逃がすための放熱板と、
前記フレームと前記バックライトシャーシとの間に挟持され、前記表示パネルを支持するパネルガイドと
を備え、
前記フレームは、
固定具が結合される固定軸が前記バックライトシャーシ側に固設されており、
前記バックライトシャーシは、
空孔が形成されており、当該空孔を前記固定具が貫通した状態で、前記固定具と前記固定軸とが結合されることによって前記フレームと締結され、
前記放熱板は、
前記バックライトシャーシの前記フレーム側において、当該バックライトシャーシと互いに重なり合う第３の壁部を有しており、当該第３の壁部には、前記固定軸が貫通する貫通孔が形成されている
ことを特徴とする表示装置。
【請求項２】
前記固定軸は、
前記貫通孔に内接していない
ことを特徴とする請求項１に記載の表示装置。
【請求項３】
前記バックライトシャーシは、
その長手方向において、前記バックライト光源の熱を当該バックライトシャーシ側に逃がすことが所望される第１の位置においては、前記固定具によって前記放熱板と締結され、前記バックライト光源の熱を前記フレーム側に逃がすことが所望される第２の位置においては、前記固定具によって前記フレームと締結されている
ことを特徴とする請求項１または２に記載の表示装置。
【請求項４】
前記バックライトシャーシは、
その長手方向において、前記バックライト光源の熱を当該バックライトシャーシ側に逃がすことが所望される第３の位置においては、前記フレームとの間に形成される空間の容積が、前記バックライト光源の熱を前記フレーム側に逃がすことが所望される第４の位置よりも多くなっている
ことを特徴とする請求項１から３のいずれか一項に記載の表示装置。
【請求項５】
請求項１から４のいずれか一項に記載の表示装置を備えることを特徴とするテレビジョン受像機。
【発明の詳細な説明】
【技術分野】
【０００１】
本発明は、表示装置およびテレビジョン受像機に関する。
【背景技術】
【０００２】
従来、テレビジョン受像機、パソコン用のモニタ等の液晶表示装置においては、表示パネルの背面側にバックライトパネル（導光板）を配置するとともに、このバックライトパネルの側部にバックライト光源を配置し、バックライトパネルの側部からバックライト光を入射することにより、バックライト光を表示パネルの裏側から照射する構成が採用されている。このような表示装置によれば、表示パネルの裏側にバックライト光源が無いため、筐体を薄型化することが可能となっている。
【０００３】
このような表示装置に代表される各種表示装置においては、より軽量化、薄型化、および額縁（ベゼルとも呼ばれる）の小面積化のニーズが高まってきており、さらには、薄型化に伴う放熱対策も課題となっている。このために、各種表示装置においては、アルミ等の金属製のフロントパネルが採用されつつある。例えば、下記特許文献１には、ディスプレイ装置において、伝熱性を有するアルミ材からなるフロントパネルを前枠体に面結合させて組み付けることにより、ディスプレイ装置の発熱をフロントパネルから放熱することが記載されている。このように、金属製のフロントパネルは、表示装置の薄型化に際し、その剛性を容易に確保することができるだけでなく、従来から多用されてきた樹脂性のフロントパネルに比べて、放熱性に優れている。
【先行技術文献】
【特許文献】
【０００４】
【特許文献１】特開２００５−１１４８５１号公報（２００５年４月２８日公開）
【発明の概要】
【発明が解決しようとする課題】
【０００５】
しかしながら、ディスプレイ装置の前面は、視聴者と対向する面となるために、視聴者によって触れられる可能性が高く、ディスプレイ装置の発熱をこのような場所に積極的に放熱させることは、ユーザにやけどを負わせる等の不具合が生じる可能性が高くなる。したがって、上記特許文献１に記載されている技術は、ディスプレイ装置に生じた熱を適切に放熱することができるものとは言えない。
【０００６】
本発明は、上記問題に鑑みてなされたものであり、その目的は、バックライト光源の熱を適切に放熱することができる表示装置を提供することにある。
【課題を解決するための手段】
【０００７】
上記の課題を解決するために、本発明に係る表示装置は、表示パネルと、前記表示パネルの背面から前記表示パネルへバックライト光を導くバックライトパネルと、前記バックライトパネル内に前記バックライト光を照射するバックライト光源と、前記表示パネルの前面側から、当該表示パネルを支持するフレームと、前記バックライトパネルの背面側から、当該バックライトパネルを支持するバックライトシャーシと、前記バックライト光源の基板および前記バックライトシャーシに接触しており、前記バックライト光源の熱を前記バックライトシャーシへ逃がすための放熱板と、前記フレームと前記バックライトシャーシとの間に挟持され、前記表示パネルを支持するパネルガイドとを備え、前記フレームは、固定具が結合される固定軸が前記バックライトシャーシ側に固設されており、前記バックライトシャーシは、空孔が形成されており、当該空孔を前記固定具が貫通した状態で、前記固定具と前記固定軸とが結合されることによって前記フレームと締結され、前記放熱板は、前記バックライトシャーシの前記フレーム側において、当該バックライトシャーシと互いに重なり合う第３の壁部を有しており、当該第３の壁部には、前記固定軸が貫通する貫通孔が形成されていることを特徴とする。
【発明の効果】
【０００８】
本発明によれば、バックライト光源の発熱が表示装置の前面側に伝わり難く、表示装置の背面側で放熱され易くなるため、表示装置の前面の温度上昇を抑えることができる。したがって、バックライト光源の熱を適切に放熱することができる。
【図面の簡単な説明】
【０００９】
【図１】本発明の一実施形態に係る表示装置の概略構成を示す分解斜視図である。
【図２】本実施形態に係る表示装置の内部構造を示す断面図である。
【図３】本実施形態に係る表示装置の内部構造を示す断面図である。
【図４】本実施形態に係る表示装置（背面側）の一部拡大斜視図である。
【図５】図４に示す表示装置における、第１の断面構造を示すＡ−Ａ斜視断面図である。
【図６】図４に示す表示装置における、第２の断面構造を示すＢ−Ｂ斜視断面図である。
【図７】図４に示す表示装置における、第３の断面構造を示すＣ−Ｃ斜視断面図である。
【図８】本実施形態に係る表示装置における、ＬＥＤ基板に生じた熱の流れを示す。
【図９】本実施形態に係る表示装置における、フレームとバックライトシャーシとの締結位置を模式的に示す図である。
【図１０】本実施例に係る表示装置における測定位置を模式的に示す図である。
【図１１】本実施例に係る表示装置（表示装置（１），（２））の各々の測定結果を示すグラフである。
【発明を実施するための形態】
【００１０】
〔実施形態〕
以下、本発明に係る表示装置の一実施形態について図面を参照して説明する。
【００１１】
（表示装置１０の概略構成）
まず、図１を参照して、実施形態に係る表示装置１０の概略構成について説明する。図１は、本発明の一実施形態に係る表示装置１０の概略構成を示す分解斜視図である。特に図１は、表示装置１０を背面側から見た時の、その構成を示している。なお、以降の説明において、図中におけるＺ軸正方向側を表示装置１０の前側（すなわち、映像が表示される側。正面側と呼ぶ場合もある）としており、Ｚ軸負方向側を表示装置１０の後側（背面側と呼ぶ場合もある）としている。
【００１２】
図１に示す表示装置１０は、チューナ（図示を省略する）およびディスプレイを備えており、チューナによって受信されたコンテンツを再生してその映像をディスプレイが表示することにより、このコンテンツをユーザに視聴させることができる、いわゆるテレビジョン受像機である。
【００１３】
図１に示すように、表示装置１０は、ベゼル１２、フレーム１４、表示パネル１６、パネルガイド１８、光学シート類２０、およびバックライトユニット３０を備えて構成されている。実際には、表示装置１０は、これらの他にも、表示装置１０の背面を保護する背面カバー等を備えているが、ここでは、図示および説明を省略する。
【００１４】
ベゼル１２は、フレーム１４の前面に取り付けられる。ベゼル１２は、フレーム１４の表面の保護や、表示装置１０の外観を整えるために設けられている。ベゼル１２としては、アルミ等の金属製のものを用いているが、樹脂等の非金属製のものが用いられる場合もある。
【００１５】
フレーム１４は、表示パネル１６を支持する。具体的には、フレーム１４は、その前面に表示パネル１６の表示領域に相当するサイズの開口部を有する枠部を有しており、この枠部によって、表示パネル１６の外周縁部（すなわち、表示領域の外側の部分）を支持する。フレーム１４として、アルミ等の金属製のものが用いられている。
【００１６】
表示パネル１６は、いわゆる液晶表示パネルであり、複数のＴＦＴ（Thin Film Transistor）液晶画素が形成されたガラス基板、カラーフィルタ、および偏光フィルタ等を備えて構成されている。この表示パネル１６では、ディスプレイ駆動回路（図示を省略する）により、各ＴＦＴ液晶画素に対して、映像信号に応じたデータ信号が書き込まれる。これにより、表示パネル１６においては、各ＴＦＴ液晶画素におけるバックライト光の透過量が調整され、これにより、映像信号に応じた映像が表示されることとなる。
【００１７】
パネルガイド１８は、フレーム１４の裏側に嵌め込まれる。そして、パネルガイド１８は、フレーム１４の内側において、表示パネル１６が所定の場所に固定されるように、表示パネル１６を支持する。パネルガイド１８として、樹脂等の非金属製のものが用いられている。
【００１８】
光学シート類２０は、表示パネル１６とパックライトパネル３２との間に挟み込まれるようにして設けられている。この光学シート類２０は、液晶表示パネル２に入射されるバックライト光の特性を調整するために、設けられている。例えば、光学シート類２０は、拡散板、拡散シート、レンズシート、偏光反射シート等、複数のシート状の光学部材を含んで構成されている。
【００１９】
バックライトユニット３０は、表示パネル１６の背面側に設けられており、表示パネル１６に対して、バックライト光を照射する。具体的には、バックライトユニット３０は、バックライトパネル３２、ＬＥＤ基板３４（図２参照）、およびバックライトシャーシ３６を備えて構成されている。
【００２０】
バックライトパネル３２は、表示パネル１６の背面側に設けられている。このバックライトパネル３２は、その側部から入射されたバックライト光を、表示パネル１６へ導光する、いわゆる導光板である。
【００２１】
バックライトシャーシ３６は、バックライトパネル３２の背面側から、バックライトパネル３２を支持する。バックライトシャーシ３６の素材として、アルミ等の金属が用いられている。本実施形態の表示装置１０では、バックライトシャーシ３６の裏面には、その長手方向において左右対称に、一対のスピーカ２２が設置されている。特に、このスピーカ２２には、表示装置１０本体の薄型化を阻害しないように、非常に薄型のものが採用されている。
【００２２】
ＬＥＤ基板３４は、光源であるＬＥＤアレイ３５（図２参照）と、このＬＥＤアレイ３５を駆動するＬＥＤ駆動回路（図示を省略する）とを備えている。ＬＥＤ基板３４は、バックライトパネル３２の側部に設けられており、この側部からバックライトパネル３２内にバックライト光を入射する。本実施形態では、ＬＥＤ基板３４は、バックライトパネル３２の下側（図中Ｙ軸負方向側）の側部に設けられているが、これに限らない。
【００２３】
次に、図２および図３を参照して、本実施形態に係る表示装置１０の内部構成について具体的に説明する。図２および図３は、本実施形態に係る表示装置１０の内部構造を示す断面図である。特に、図２および図３は、表示装置１０の長手方向（横方向）における締結位置の切断面の下部を右側面側（図中Ｘ軸正方向側）から見た時のその内部構成を示している。
【００２４】
（フレーム１４への締結位置の内部構成）
本実施形態の表示装置１０においては、バックライトシャーシ３６は、その長手方向における複数の締結位置で、ビス４２によってフレーム１４に締結される。図２は、その締結位置における切断面の内部構成を示すものである。
【００２５】
図２に示すように、表示装置１０においては、その正面側から順に、表示パネル１６、光学シート類２０、およびバックライトパネル３２が積層されている。そして、表示パネル１６が、その正面側からフレーム１４によって支持され、バックライトパネル３２が、その背面側からバックライトシャーシ３６によって支持されている。すなわち、表示パネル１６、光学シート類２０、およびバックライトパネル３２は、互いに積層された状態で、フレーム１４とバックライトシャーシ３６との間に狭持されている。
【００２６】
バックライトパネル３２の下方には、バックライトパネル３２内にバックライト光を入射するためのＬＥＤアレイ３５が設けられている。ＬＥＤアレイ３５は、ＬＥＤ基板３４上に設けられている。さらに、ＬＥＤ基板３４の下側（図中Ｙ軸負方向側）には、ＬＥＤアレイ３５の熱を主にバックライトシャーシ３６へ逃がすための放熱板４０が設けられている。
【００２７】
上記締結位置において、フレーム１４のバックライトシャーシ３６側には、ボス１５が固設されている。ボス１５は、表示装置１０の組み立て時にその頂部がバックライトシャーシ３６に当接するように、予め規定されたフレーム１４とバックライトシャーシ３６との間隔と略同じ長さを有している。
【００２８】
バックライトシャーシ３６において、ボス１５と対向する位置には、ビス４２を貫通させるための空孔３６Ａが形成されている。表示装置１０の組み立て時には、空孔３６Ａにビス４２が通され、当該ビス４２がボス１５にねじ止めされる。これにより、バックライトシャーシ３６は、ボス１５の頂部と当接した状態で、図２に示すようにフレーム１４に締結された状態となる。この例では、ボス１５は、フレーム１４に対してカシメ固定されているが、ボス１５の固定方法はこれに限らず、例えば溶接や圧入等であってもよい。
【００２９】
フレーム１４の下部には、その長手方向（横方向）において、複数のボス１５がある程度の間隔を有して設けられている。これに応じて、バックライトシャーシ３６にも、その長手方向（横方向）において、ビス４２を貫通させるための空孔３６Ａが、各ボス１５に対向する位置に設けられている。
【００３０】
表示装置１０の組み立て時には、複数の締結位置の各々に対して、ビス４２を空孔３６Ａに貫通させるとともに、このビス４２をボス１５にねじ止めする。これにより、バックライトシャーシ３６は、フレーム１４に対して複数の締結位置で確実に結合されることとなる。なお、図２は、ある一の締結位置の切断面の内部構成を示しており、他の締結位置も同様の構成となっている。
【００３１】
（放熱板４０）
ここで、放熱板４０について具体的に説明する。放熱板４０は、ＬＥＤ基板３４に対して平行な上側壁部と、バックライトシャーシ３６に対して平行であり、かつ上側壁部に対して垂直な後側壁部（第３の壁部）とを有する。放熱板４０の上側壁部は、ＬＥＤ基板３４と互いに重なり合っている。すなわち、放熱板４０の上側壁部は、ＬＥＤ基板３４と互いに面接触している。また、放熱板４０の後側壁部は、バックライトシャーシ３６と互いに重なり合っている。すなわち、放熱板４０の後側壁部は、バックライトシャーシ３６と互いに面接触している。
【００３２】
すなわち、放熱板４０は、ＬＥＤ基板３４およびバックライトシャーシ３６の双方に対して、比較的広い接触面積を有している。これにより、放熱板４０は、ＬＥＤアレイ３５に生じた熱を、バックライトシャーシ３６へ効率的に逃がすことが可能となっている。
【００３３】
放熱板４０の後側壁部には、ボス１５を貫通させるための貫通孔４０Ａが、ボス１５に対応する位置に設けられている。この貫通孔４０Ａの内径は、ボス１５の外径よりも僅かに大きくなっている。一方、バックライトシャーシ３６に形成されている空孔３６Ａの内径は、ボス１５Ａの外径よりも僅かに小さくなっている。
【００３４】
これにより、表示装置１０が組み立てられた状態において、ボス１５は、貫通孔４０Ａに内接しないように当該貫通孔４０Ａを貫通しつつ、バックライトシャーシ３６と当接した状態で、ビス４２によってバックライトシャーシ３６がねじ止めされるようになっている。
【００３５】
この構成により、ボス１５と放熱板４０との間に空気層が形成され、放熱板４０に伝わったＬＥＤアレイ３５の熱が、ボス１５に直接伝わらないようになっている。また、ボス１５とバックライトシャーシ３６とを締結するビス４２は金属製であるため、放熱板４０を介してバックライトシャーシ３６に伝わった熱は、ビス４２を介して適度にボス１５へ伝わるようになっている。さらに、ボス１５も金属製であるために、ボス１５に伝わった熱は、適度にフレーム１４へ伝わるようになっている。
【００３６】
（放熱板４０への締結位置の内部構成）
バックライトシャーシ３６は、さらに、その長手方向における複数の締結位置で、ビス４２によって放熱板４０に締結される。図３は、その締結位置における切断面の内部構成を示すものである。
【００３７】
この締結位置では、放熱板４０の後側壁部には、螺子孔４０Ｂが形成されている。バックライトシャーシ３６において、螺子孔４０Ｂと対向する位置には、ビス４２を貫通させるための空孔３６Ａが形成されている。表示装置１０の組み立て時には、空孔３６Ａにビス４２が通され、当該ビス４２が螺子孔４０Ｂにねじ止めされる。これにより、バックライトシャーシ３６と放熱板４０とは、図３に示すように互いに重なり合った状態で結合された状態となる。
【００３８】
放熱板４０には、その長手方向（横方向）において、複数の螺子孔４０Ｂがある程度の間隔を有して設けられている。これに応じて、バックライトシャーシ３６には、その長手方向（横方向）において、ビス４２を貫通させるための空孔３６Ａが、各螺子孔４０Ｂに対向する位置に設けられている。
【００３９】
表示装置１０の組み立て時には、複数の締結位置の各々に対して、ビス４２を空孔３６Ａに貫通させるとともに、このビス４２を螺子孔４０Ｂにねじ止めする。これにより、バックライトシャーシ３６および放熱板４０は、互いに、複数の締結位置で確実に結合されることとなる。なお、図３は、ある一の締結位置の切断面の内部構成を示しており、他の締結位置も同様の構成となっている。
【００４０】
（パネルガイド）
ここで、図３を参照して、パネルガイド１８の構成について具体的に説明する。パネルガイド１８は、表示パネル１６を支持するだけでなく、ＬＥＤ基板３４に生じた熱がフレーム１４に伝わらないようにも構成されている。
【００４１】
具体的には、パネルガイド１８は、フレーム１４の前側壁部に向かって立設された壁部１８Ａ〜Ｃ（第１の壁部）を有している。表示装置１０が組み立てられたとき、壁部１８Ａ〜Ｃの各々は、その頂部によって、フレーム１４の前側壁部の裏面に対して略垂直に当接する。これにより、図３に示すように、パネルガイド１８とフレーム１４との間に、内部空間が形成される。
【００４２】
例えば、図３に示す例では、パネルガイド１８とフレーム１４との間には、上下が壁部１８Ａと壁部１８Ｂとに挟まれた内部空間１０Ａが形成されているとともに、上下が壁部１８Ｂと壁部１８Ｃとに挟まれた内部空間１０Ｂが形成されている。
【００４３】
そもそも、パネルガイド１８には熱伝導性の低い樹脂製のものが用いられているため、このパネルガイド１８は、ＬＥＤ基板３４に生じた熱をフレーム１４に伝わり難くしている。それに加え、パネルガイド１８は、接触面積が小さい壁部１８Ａ〜Ｃの各々の頂部によって、フレーム１４に対してＸ軸方向に沿って断続的に線接触（断面図上では点接触）するように構成されているため、ＬＥＤ基板３４に生じた熱がより伝わり難くなっている。さらに、フレーム１４との間に形成される内部空間１０Ａ，１０Ｂが空気層として機能するため、その断熱効果により、ＬＥＤ基板３４に生じた熱がさらに伝わり難くなっている。
【００４４】
さらに、フレーム１４と当接して内部空間１０Ａを形成するとともに、この内部空間１０Ａ，１０Ｂが密閉されるようにも構成されている。これにより、内部空間１０Ａ，１０Ｂにおける空気の対流が生じないため、その防熱効果がより高められている。
【００４５】
また、パネルガイド１８は、バックライトシャーシ３６の後側壁部に向かって立設された壁部１８Ｄ（第２の壁部）を有している。表示装置１０が組み立てられたとき、壁部１８Ｄは、その頂部によって、バックライトシャーシ３６の後側壁部の裏面に対して略垂直に当接する。これにより、図３に示すように、パネルガイド１８とフレーム１４との間には、内部空間が形成される。
【００４６】
図３に示す例では、バックライトシャーシ３６の裏面には放熱板４０が重ねられているため、壁部１８Ｄは放熱板４０の後側壁部の裏面に当接し、これにより、パネルガイド１８とバックライトシャーシ３６との間には、上下が壁部１８Ｄと放熱板４０の上側壁部とに挟まれた内部空間１０Ｃが形成されている。
【００４７】
このように、パネルガイド１８は、接触面積が小さい壁部１８Ｄの頂部によって、バックライトシャーシ３６に対してＸ軸方向に沿って断続的に線接触（断面図上では点接触）するように構成されているため、ＬＥＤ基板３４に生じた熱がより伝わり難くなっている。さらに、バックライトシャーシ３６との間に形成される内部空間１０Ｃが空気層として機能するため、その断熱効果により、ＬＥＤ基板３４に生じた熱がより伝わり難くなっている。
【００４８】
上記のとおり、本実施形態の表示装置１０は、パネルガイド１８として樹脂製のものを用いたことによるだけでなく、放熱板４０とボス１５とが直接接触しないように構成したことや、パネルガイド１８に壁部１８Ａ〜Ｄを設けたことによっても、ＬＥＤアレイ３５に生じた熱がフレーム１４に伝わり難くなっている。これにより、ＬＥＤアレイ３５に生じた熱の殆どは、バックライトシャーシ３６へ伝わるようになっている。このことから、本実施形態の表示装置１０は、ＬＥＤアレイ３５に生じた熱を効率的にバックライトシャーシ３６へ逃がすことができるものであると言える。
【００４９】
なお、この例では、第１の壁部が３つ設けられ、第２の壁部が１つ設けられているが、いずれもこれに限定されるものではなく、少なくとも１つ以上の壁部によって構成されていれば、その目的を果たすことが可能である。
【００５０】
（非締結位置の内部構成）
なお、表示装置１０の長手方向において、非締結位置（図２および図３に示す締結位置以外の位置）の内部構成は、図３に示す締結位置と略同様であるが、ビス４２、放熱板４０の貫通孔４０Ａ、およびバックライトシャーシ３６の空孔３６Ａが設けられていない点で、図３に示す締結位置と異なる。但し、非締結位置におけるパネルガイド１８の構成は図３と同様であるため、非締結位置においても、図３に示す締結位置と同様に、“ＬＥＤアレイ３５に生じた熱をフレーム１４に伝わり難くする”という効果を奏することができる。
【００５１】
（表示装置１０の構成および作用のさらなる説明）
以下、図４〜図８を参照して、本実施形態に係る表示装置１０の構成および作用についてさらに説明する。
【００５２】
図４は、本実施形態に係る表示装置１０（背面側および下縁部）の一部拡大斜視図である。表示装置１０の下縁部における断面構造は、以下３つの断面構造に分類される。
【００５３】
（１）第１の断面構造：ビス４２による締結がなされていない。
【００５４】
（２）第２の断面構造：ビス４２により、バックライトシャーシ３６がフレーム１４（ボス１５）へ締結されている。
【００５５】
（３）第３の断面構造：ビス４２により、バックライトシャーシ３６が放熱板４０へ締結されている。
【００５６】
例えば、図４に示す表示装置１０の下縁部において、Ａ−Ａ切断線が示されている部分は、上記第１の断面構造を有している。また、Ｂ−Ｂ切断線が示されている部分は、上記第２の断面構造を有している。また、Ｃ−Ｃ切断線が示されている部分は、上記第３の断面構造を有している。
【００５７】
以下、図５〜７を参照して、上記各断面構造について、具体的に説明する。
【００５８】
図５は、図４に示す表示装置１０における、第１の断面構造を示すＡ−Ａ斜視断面図である。図６は、図４に示す表示装置１０における、第２の断面構造を示すＢ−Ｂ斜視断面図である。図７は、図４に示す表示装置１０における、第３の断面構造を示すＣ−Ｃ斜視断面図である。
【００５９】
図５〜７に示すように、表示装置１０の下縁部において、正面側に設けられたフレーム１４と、背面側に設けられたバックライトシャーシ３６との間には、ＬＥＤ基板３４、放熱板４０、およびパネルガイド１８とが挟持されている。特に、表示装置１０の下縁部においては、ＬＥＤ基板３４から放熱板４０へ伝わった熱の殆どが、バックライトシャーシ３６へ伝わるように、以下のように各断面共通の工夫が施されている。
【００６０】
（工夫点１）
図５〜７に示すように、表示装置１０のいずれの断面においても、放熱板４０は、バックライトシャーシ３６に対しては面接触する一方、パネルガイド１８に対しては、線接触している。この構成により、パネルガイド１８との接触部分の熱抵抗が高くなるため、ＬＥＤ基板３４から放熱板４０へ伝わった熱は、バックライトシャーシ３６（すなわち、表示装置１０の背面側）に伝わり易くなっている。
【００６１】
（工夫点２）
また、表示装置１０のいずれの断面においても、放熱板４０とパネルガイド１８との間（互いの接触部分を除く）には、空気層１０Ｃが形成されている。この構成により、ＬＥＤ基板３４から放熱板４０へ伝わった熱は、パネルガイド１８との接触部分以外からは、パネルガイド１８へ伝わり難くなっている。
【００６２】
（工夫点３）
また、表示装置１０のいずれの断面においても、パネルガイド１８は、フレーム１４に対しては線接触している。この構成により、放熱板４０からパネルガイド１８へ伝わった僅かな熱は、フレーム１４に伝わり難くなっている。
【００６３】
（工夫点４）
また、表示装置１０のいずれの断面においても、パネルガイド１８とフレーム１４との間（互いの接触部分を除く）には、空気層１０Ａ，１０Ｂが形成されている。この構成により、放熱板４０からパネルガイド１８へ伝わった僅かな熱は、フレーム１４との接触部分以外からは、フレーム１４へ伝わり難くなっている。
【００６４】
（工夫点５）
特に、第２の断面構造（図６）においては、ボス１５が放熱板４０を貫通しており、当該貫通部分において、両者が接触しないように、両者の間に空気層が形成されている。この構成により、ＬＥＤ基板３４から放熱板４０へ伝わった熱は、金属製のボス１５へ直接伝わらないようになっている。
【００６５】
図８は、本実施形態に係る表示装置１０における、ＬＥＤ基板３４に生じた熱の流れを示す。ここでは、上記第３の断面構造を有する断面（図７参照）を代表例として用いて、ＬＥＤ基板３４に生じた熱の流れを説明するが、他の断面（上記第１の断面構造を有する断面、および、上記第３の断面構造を有する断面）においても、同様である。
【００６６】
図８において、ＬＥＤ基板３４に生じた熱の流れを、太矢印で示す。
（１）ＬＥＤ基板３４に生じた熱は、当該ＬＥＤ基板３４に面接触している放熱板４０へ伝わる。
（２）放熱板４０に伝わった熱の殆どは、当該放熱板４０と面接触しているバックライトシャーシ３６（すなわち、表示装置１０の背面側）に伝わり、さらにその一部は、バックライトシャーシ３６から放熱される。
（３）放熱板４０に伝わった熱の一部は、当該放熱板４０と接触しているパネルガイド１８に伝わる。しかしながら、パネルガイド１８と放熱板４０との接触は、壁部１８Ｄによる線接触であり、これにより、パネルガイド１８と放熱板４０との間の熱抵抗が高められている。
【００６７】
また、放熱板４０とパネルガイド１８（上記線接触部を除く部分）との間には、より熱抵抗が高い空気層１０Ｃが形成されている。特に、当該空気層１０Ｃは、密閉構造を有しており、空気の対流が生じ難くなっている。これにより、パネルガイド１８と放熱板４０との間の熱抵抗は、さらに高められている。このため、放熱板４０に伝わった熱は、その殆どがバックライトシャーシ３６へ伝わり、パネルガイド１８に伝わる熱量は僅かである。
（４）パネルガイド１８に伝わった僅かな熱は、パネルガイド１８と接触しているフレーム１４（すなわち、表示装置１０の正面側）に伝わる。しかしながら、パネルガイド１８とフレーム１４との接触は、壁部１８Ａ〜Ｃによる線接触であり、これにより、パネルガイド１８とフレーム１４との間の熱抵抗が高められている。
【００６８】
また、パネルガイド１８とフレーム１４（上記線接触部を除く部分）との間には、より熱抵抗が高い空気層１０Ａ，１０Ｂが形成されている。特に、当該空気層１０Ａ，１０Ｂは、密閉構造を有しており、空気の対流が生じ難くなっている。これにより、パネルガイド１８とフレーム１４との間の熱抵抗は、さらに高められている。このため、フレーム１４に伝わる熱量は、さらに僅かなものとなっている。
【００６９】
図９は、本実施形態に係る表示装置１０における、フレーム１４とバックライトシャーシ３６との締結位置を模式的に示す図である。図９では、表示装置１０の背面側を示しており、図９における各矢印は、ビス４２によってバックライトシャーシ３６が締結される締結位置を示している。また、各矢印に併記されている符号Ａおよび符号Ｂは、その締結相手を示している。なお、図９は、バックライトシャーシ３６の下側の締結位置のみを図示しており、便宜上、他の締結位置については図示を省略している。
【００７０】
例えば、符号Ａが併記されている締結位置は、ビス４２によってバックライトシャーシ３６がフレーム１４へ締結されている締結位置であり、符号Ｂが併記されている締結位置は、ビス４２によってバックライトシャーシ３６が放熱板４０へ締結されている締結位置である。また、「Ａ／Ｂ」が併記されている締結位置は、バックライトシャーシ３６をフレーム１４または放熱板４０のいずれに締結してもよい位置である。
【００７１】
このように、本実施形態の表示装置１０では、その長手方向における複数の締結位置で、ビス４２によるバックライトシャーシ３６の締結相手を異ならせることにより、ＬＥＤ基板３４に生じた熱のフレーム１４への熱伝導率を異ならせている。
【００７２】
例えば、できるだけフレーム１４へ熱を伝わらせたくない場所（第１の位置および第３の位置）では、図３に示したように、ビス４２によってバックライトシャーシ３６を放熱板４０へ締結し、できるだけバックライトシャーシ３６へ熱を伝わらせたくない場所（第２の位置および第４の位置）では、図２に示したように、ビス４２によってバックライトシャーシ３６をフレーム１４へ締結するといった具合である。
【００７３】
図９に示す例では、フレーム１４の中央の近傍の位置Ｐ４〜Ｐ７の各々においては、ビス４２によってバックライトシャーシ３６が放熱板４０へ締結されており、できるだけフレーム１４へ熱が伝わらないようになっている。これは、中央に近い位置ほど温度が高くなり易いことから、その温度をできるだけ下げようとしているためである。
【００７４】
一方、スピーカ２２の近傍の位置Ｐ２，Ｐ３，Ｐ８，Ｐ９の各々においては、ビス４２によってバックライトシャーシ３６がフレーム１４へ締結されており、できるだけスピーカ２２へ熱が伝わらないようになっている。これは、磁力を利用しているスピーカ２２が熱影響を受け易いことから、その温度をできるだけ下げようとしているためである。
【００７５】
なお、上記例では、バックライトシャーシ３６の締結相手を異ならせることによって、フレーム１４への熱伝導率を異ならせているが、他の方法によってこれを実現してもよい。
【００７６】
例えば、フレーム１４とパネルガイド１８との間の空間の容積を異ならせたり、フレーム１４とパネルガイド１８との接触面積を異ならせたり、ボス１５の位置や設置間隔を異ならせたりすることにより、これを実現してもよい。
【００７７】
例えば、できるだけフレーム１４へ熱を伝わらせたくない場所（第１の位置および第３の位置）では、その場所において、上記容積を広くしたり、上記接触面積を狭くしたり、上記間隔を広くしたりしてもよく、できるだけバックライトシャーシ３６へ熱を伝わらせたくない場所（第２の位置および第４の位置）では、その場所において、上記容積を狭くしたり、上記接触面積を広くしたり、上記間隔を狭くしたりしてもよい。
【実施例】
【００７８】
以下に実施例を示して、本発明の実施形態についてさらに詳しく説明する。もちろん、本発明は以下の実施例に限定されるものではなく、細部については様々な様態が可能である。
【００７９】
（実施例概要）
本実施例では、実施形態で説明した表示装置１０を改良することで、異なる熱対策が施された複数の表示装置を用意し、各表示装置について各測定対象位置の温度測定を行うことで、本発明の有効性を確認した。
【００８０】
（測定対象位置）
本実施例では、図１０に示す位置Ｐ１〜Ｐ１５を測定対象位置とした。図１０は、本実施例に係る表示装置１０における測定位置を模式的に示す図である。この図１０は、表示装置１０の前面側を示しており、点線丸印で示されたＰ１〜Ｐ１５は、本実施例における測定対象位置を示している。また、各測定位置において、フレーム１４の温度を測定した。
【００８１】
（熱対策）
本実施例では、以下熱対策Ａ〜Ｃの組み合わせを、複数の表示装置で異ならせることとした。
【００８２】
熱対策Ａ：バックライトシャーシ３６の厚さを１．０ｍｍから１．５ｍｍへ変更する。
【００８３】
熱対策Ｂ：６箇所の締結位置（Ｐ１，Ｐ４，Ｐ６，Ｐ１０，Ｐ１２，Ｐ１５）について、ビス４２によるバックライトシャーシ３６の締結相手をフレーム１４から放熱板４０へ変更する。
【００８４】
熱対策Ｃ：図３に示したように、パネルガイド１８のフレーム１４への接触面にいわゆる肉盗み加工（肉抜き加工とも呼ぶ）を施すことにより、パネルガイド１８とフレーム１４との間に空間を設ける。同時に、フレーム１４上に設けられたボス１５とバックライトシャーシ３６との接触面にシート（断熱材）を貼り付ける。
【００８５】
（各表示装置の熱対策）
本実施例では、熱対策Ａ〜Ｃの組み合わせが異なる表示装置（１）〜（２）を用意した。各表示装置に適用する熱対策は以下のとおりである。いずれも、順に、熱対策Ａの適用有無、熱対策Ｂの適用有無、熱対策Ｃの適用有無を示している。
【００８６】
表示装置（１）：「なし、なし、なし」
表示装置（２）：「あり、あり、あり」。
【００８７】
（その他測定条件）
なお、本実施例では、以下を共通条件として、各表示装置に適用した。
【００８８】
ダイナミック／アクティブコントラスト：「しない」
表示する画像                        ：全白画像。
【００８９】
（測定結果等）
各表示装置の測定結果を、図１１に示す。図１１は、本実施例に係る表示装置１０による測定結果を示す。すなわち、図１１は、表示装置（１），（２）の各々の測定結果を示すグラフである。
【００９０】
上記各測定結果から、フレーム１４とパネルガイド１８との間に空間を設けたこと（上記熱対策Ｃ）により、この空間を設けない構成よりも、フレーム１４の温度を下げることができることが分かった。例えば、図１１に示すとおり、上記空間を設けていない表示装置（１）におけるフレーム１４の位置Ｐ８の温度がより高温であるのに対し、上記空間を設けている表示装置（２）のフレーム１４の位置Ｐ８の温度は、より低温であり、明らかな温度低下を実現している。したがって、本発明の“フレームとパネルガイドとの間に空間を設ける”という構成は、バックライト光源の発熱を表示装置の背面側に逃がすため、および、当該発熱を表示装置の正面側に伝わり難くするために非常に有効な構成であることが確認された。
【００９１】
また、上記各測定結果から、ビス４２によるバックライトシャーシ３６の締結相手を、フレーム１４から放熱板４０へ変更することにより、フレーム１４の温度を下げることができることが分かった。反対に、上記締結相手を放熱板４０からフレーム１４へ変更することにより、バックライトシャーシ３６の温度を下げることができることが分かった。したがって、本発明の“表示装置１０の長手方向における複数の位置で上記締結相手を異ならせる“という構成は、周辺部品（例えば、スピーカ、電子回路等）への熱影響を考慮して各位置の温度を個別に調整することを実現するために、非常に有効な構成であることが確認された。
【００９２】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９３】
実施形態では、本発明をテレビジョン受像機に適用例を説明したが、これに限らず、本発明は、テレビジョン受像機以外にも、ディスプレイ単体、各種表示装置に適用することが可能である。
【００９４】
実施形態では、固定軸の一例としてボスを用い、固定具の一例としてビスおよびボスを用いたが、これに限らず、互いに締結可能なものであれば、どのようなものを用いてもよい。
【００９５】
実施形態では、バックライト光源としてＬＥＤを用いたが、バックライトパネルの側部からバックライトパネル内にバックライトを入射可能なものであれば、どのようなものを用いてもよい。
【００９６】
（まとめ）
以上のように、本実施形態に係る表示装置（表示装置１０）は、表示パネル（表示パネル１６）と、前記表示パネルの背面から前記表示パネルへバックライト光を導くバックライトパネル（バックライトパネル３２）と、前記バックライトパネル内に前記バックライト光を照射するバックライト光源（ＬＥＤアレイ３５）と、前記表示パネルの前面側から、当該表示パネルを支持するフレーム（フレーム１４）と、前記バックライトパネルの背面側から、当該バックライトパネルを支持するバックライトシャーシ（バックライトシャーシ３６）と、前記バックライト光源の基板（ＬＥＤ基板３４）および前記バックライトシャーシに接触しており、前記バックライト光源の熱を前記バックライトシャーシへ逃がすための放熱板（放熱板４０）と、前記フレームと前記バックライトシャーシとの間に挟持され、前記表示パネルを支持するパネルガイド（パネルガイド１８）とを備え、前記パネルガイドは、前記フレームに向かって立設された第１の壁部（壁部１８Ａ，１８Ｂ，１８Ｃ）を有しており、当該第１の壁部の頂部が前記フレームと当接することによって、前記フレームによって支持されるとともに、前記フレームとの間に空間（空間１０Ａ，１０Ｂ）を形成することを特徴とする。
【００９７】
上記表示装置によれば、放熱板を設けたことにより、バックライト光源の発熱を積極的にバックライトシャーシ（すなわち、表示装置の背面側）へ逃がすことができる。また、バックライトシャーシとフレームとの間にパネルガイドが介在しているため、バックライトシャーシに伝わった上記発熱が、フレーム（すなわち、表示装置の前面側）へ伝わることを抑制することができる。
【００９８】
さらに、パネルガイドとフレームとの間に空間が形成されるため、その断熱効果により、バックライトシャーシに伝わった上記発熱が、表示装置の前面側へ伝わることをより抑制することができる。
【００９９】
これにより、バックライト光源の発熱は、その殆どが表示装置の背面側で放熱されるため、比較的簡単な構成で、表示装置の前面の温度上昇を抑えることができる。したがって、上記表示装置は、かかるコストを抑えつつ、バックライト光源の熱を適切に放熱することができる表示装置であるといえる。
【０１００】
上記表示装置において、前記パネルガイドは、前記バックライトシャーシに向かって立設された第２の壁部をさらに有しており、当該第２の壁部の頂部が前記バックライトシャーシと当接することによって、前記バックライトシャーシによって支持されるとともに、前記バックライトシャーシとの間に空間を形成することが好ましい。
【０１０１】
上記構成によれば、パネルガイドとバックライトシャーシとの間にも空間が形成されるため、その断熱効果により、バックライトシャーシに伝わった上記発熱が、表示装置の前面側へ伝わることをより抑制することができる。
【０１０２】
また、上記表示装置において、前記パネルガイドの素材には樹脂が用いられていることが好ましい。
【０１０３】
上記構成によれば、パネルガイドの伝熱性が低くなるため、バックライトシャーシに伝わった上記発熱が、表示装置の前面側へ伝わることをより抑制することができる。
【０１０４】
上記表示装置において、前記フレームは、固定具が結合される固定軸が前記バックライトシャーシ側に固設されており、前記バックライトシャーシは、空孔が形成されており、当該空孔を前記固定具が貫通した状態で、前記固定具と前記固定具とが結合されることによって前記フレームと締結され、前記放熱板は、前記バックライトシャーシの前記フレーム側において、当該バックライトシャーシと互いに重なり合う第３の壁部を有しており、当該第３の壁部には、前記固定軸が貫通する貫通孔が形成されていることが好ましい。
【０１０５】
上記構成によれば、放熱板を挟んでフレームとバックライトシャーシとを結合することにより、コンパクトな構成で放熱板とバックライトシャーシとの接触面積を多くとることができる。そのうえ、放熱板に伝わった上記発熱が、固定具を介して表示装置の前面側へ伝わることを抑制することができる。
【０１０６】
また、上記表示装置において、前記固定軸は、前記貫通孔に内接していないことが好ましい。
【０１０７】
上記構成によれば、固定軸と貫通孔との間に空気層が形成されるため、放熱板に伝わった上記発熱が、固定具を介して表示装置の前面側へ伝わることをより抑制することができる。
【０１０８】
また、上記表示装置において、前記バックライトシャーシは、その長手方向において、前記バックライト光源の熱を当該バックライトシャーシ側に逃がすことが所望される第１の位置においては、前記固定具によって前記放熱板と締結され、前記バックライト光源の熱を前記フレーム側に逃がすことが所望される第２の位置においては、前記固定具によって前記フレームと締結されていることが好ましい。
【０１０９】
上記構成によれば、近傍の構成部品の熱影響等を考慮して、固定具の締結相手を調整することで、バックライト光源の熱を、フレーム側とバックライト側のどちらに逃がすかを容易かつ柔軟に調整することができる。
【０１１０】
また、上記表示装置において、前記バックライトシャーシは、その長手方向において、前記バックライト光源の熱を当該バックライトシャーシ側に逃がすことが所望される第３の位置においては、前記フレームとの間に形成される空間の容積が、前記バックライト光源の熱を前記フレーム側に逃がすことが所望される第４の位置よりも多くなっていることが好ましい。
【０１１１】
上記構成によれば、近傍の構成部品の熱影響等を考慮して、フレームとの間に形成される空間の容積を調整することで、バックライト光源の熱を、フレーム側とバックライト側のどちらに逃がすかを容易かつ柔軟に調整することができる。
【０１１２】
また、上記表示装置において、前記バックライトシャーシは、その長手方向においてスピーカが左右対称に配置されており、前記第１の位置または前記第３の位置は、前記長手方向における中央近傍の位置であり、前記第２の位置または前記第４の位置は、前記長手方向における前記スピーカ近傍の位置であることが好ましい。
【０１１３】
上記構成によれば、固定具の締結相手またはフレームとの間に形成される空間の容積を調整することで、表示装置の前面側中央部における温度上昇の抑制効果と、表示装置の背面側に配置されたスピーカへの熱影響の抑制効果との、双方を同時に得ることができることができる。
【０１１４】
また、本実施形態に係るテレビジョン受像機は、上記表示装置を備えることを特徴とする。
【０１１５】
このテレビジョン受像機によれば、上記表示装置と同様の効果を奏するテレビジョン受像機を提供することができる。
【産業上の利用可能性】
【０１１６】
本発明に係る表示装置は、テレビジョン受像機、パソコン用のモニタ等の表示装置に利用可能であり、特に、バックライトパネルを備える薄型の表示装置に好適に利用可能である。
【符号の説明】
【０１１７】
１０        表示装置（テレビジョン受像機）
１０Ａ〜Ｃ  空間
１２        ベゼル
１４        フレーム
１５        ボス（固定軸）
１６        表示パネル
１８        パネルガイド
１８Ａ〜Ｃ  壁部（第１の壁部）
１８Ｄ      壁部（第２の壁部）
２０        シート類
３０        バックライトユニット
３２        バックライトパネル
３４        ＬＥＤ基板（バックライト光源の基板）
３５        ＬＥＤアレイ（バックライト光源）
３６        バックライトシャーシ
３６Ａ      空孔
４０        放熱板
４０Ａ      貫通孔
４２        ビス（固定具）
【図１】
0005357353.tif 000002
【図２】
0005357353.tif 000003
【図３】
0005357353.tif 000004
【図４】
0005357353.tif 000005
【図５】
0005357353.tif 000006
【図６】
0005357353.tif 000007
【図７】
0005357353.tif 000008
【図８】
0005357353.tif 000009
【図９】
0005357353.tif 000010
【図１０】
0005357353.tif 000011
【図１１】
0005357353.tif 000012